(57)【特許請求の範囲】
【請求項１】
動きやすさを向上させるように構成された衣類において、
前面パネル、背面パネル、第１の袖及び第２の袖、及び襟と、
前記背面パネルに位置し、且つ、中心点から延在する複数の突出部を備えた伸縮パネルであって、前記突出部は、
前記衣類の前記襟に向かって垂直に延びる第１の突出部と、
前記背面パネルの第１の側に向かって斜め下に延びる第２の突出部と、
前記背面パネルの第２の側に向かって斜め下に延びる第３の突出部と、
を備えた、伸縮パネルとを備え、
前記伸縮パネルは、着用者が、（ａ）前屈する動き、（ｂ）しゃがむ動き、（ｃ）膝立ちで体をひねる動き、（ｄ）前方および上方に手を伸ばす動き、及び（ｅ）大きく踏み出す動き、のうちの１つ又は複数を実行するとき、向上された動きやすさを着用者に提供する、衣類。
【請求項２】
業務用洗濯に耐えるように構成された、請求項１に記載の衣類。
【請求項３】
前記１つ又は複数の伸縮パネルは、少なくとも１５％の四方向伸縮性を有する、請求項１または２に記載の衣類。
【請求項４】
前記１つ又は複数の伸縮パネルは、少なくとも２０％の四方向伸縮性を有する、請求項１乃至３のいずれか１項に記載の衣類。
【請求項５】
前記第１の突出部の遠位端部は、前記襟を前記背面パネルに隣接させるシームと一致する、請求項１乃至４のいずれか１項に記載の衣類。
【請求項６】
前記第２の突出部の遠位端部は、前記前面パネルと前記背面パネルの前記第１の側とを隣接させるシームと一致し、
前記第３の突出部の遠位端部は、前記前面パネルと前記背面パネルの前記第２の側とを隣接させるシームと一致する、請求項１乃至５のいずれか１項に記載の衣類。
【請求項７】
前記突出部のそれぞれの間の角度は、１１０度と１３０度との間である、請求項１乃至６のいずれか１項に記載の衣類。
【請求項８】
前記中心点が、前記背面パネルの前記第１の側と前記背面パネルの前記第２の側との間の中心に位置し、前記襟の２０．３２ｃｍ（８インチ）と３３．０２ｃｍ（１３インチ）との間だけ下に位置する、請求項１乃至７のいずれか１項に記載の衣類。
【請求項９】
各突出部は、前記中心点とそれぞれの遠位端部との間のその長さに沿って幅が狭くなっている、請求項１乃至８のいずれか１項に記載の衣類。
【請求項１０】
各突出部は、そのそれぞれの遠位端部にある先端に向けて幅が狭くなっている、請求項１乃至９のいずれか１項に記載の衣類。
【請求項１１】
各突出部は、前記中心点の反対側の端部にある先端に向けて幅が狭くなっており、前記第１の突出部の前記先端は、前記襟を前記背面パネルに隣接させるシームと一致し、前記第２の突出部の前記先端は、前記前面パネルと前記背面パネルの前記第１の側とを隣接させるシームと一致し、前記第３の突出部の前記先端は、前記前面パネルと前記背面パネルの前記第２の側とを隣接させるシームと一致する、請求項１乃至１０のいずれか１項に記載の衣類。
【請求項１２】
前記伸縮パネルは、前記衣類の基礎素材の水分排出特性よりも高い水分排出特性を有する、請求項１乃至１１のいずれか１項に記載の衣類。
【請求項１３】
前記伸縮パネルは、前記衣類の基礎素材の空気透過性よりも高い空気透過性を有する、請求項１乃至１２のいずれか１項に記載の衣類。
【請求項１４】
前記衣類は、シャツである、請求項１乃至１３のいずれか１項に記載の衣類。
【請求項１５】
前記衣類は、つなぎである、請求項１乃至１４のいずれか１項に記載の衣類。
【発明の詳細な説明】
【技術分野】
【０００１】
本発明の技術は、一般には、或る範囲の動きにわたって向上された動きやすさを着用者に提供するように構成されたシャツに関する。
【背景技術】
【０００２】
作業ユニフォーム用にデザインされたシャツは、着用者が様々な動作を実行する場合、様々な場所において窮屈さ及び拘束感を感じやすい傾向がある。多くの仕事において、これらの動作はよく繰り返されるため、作業シャツの窮屈さ及び拘束感は、多大な不快感の元となることが多い。さらに、作業ユニフォーム用にデザインされたシャツの耐久性要件及び保護特質は以前から、向上された動きやすさを提供する作業シャツのデザインの妨げとなっていた。
【発明の概要】
【発明が解決しようとする課題】
【０００３】
本発明は、所定の範囲の動きにわたって着用者の着心地、パフォーマンス、及び動きやすさにおける著しい改善を提供するように構成された、作業ユニフォームシャツとして着用されるシャツ等のシャツを提供する。
【課題を解決するための手段】
【０００４】
シャツのいくつかの実施形態は、向上された動きやすさを着用者に提供するために、特定された小型部位におけるシャツの伸縮を提供するように構成された１つ又は複数の伸縮パネルを備える。
【０００５】
シャツの実施形態は、前面パネル、背面パネル、第１の袖及び第２の袖、襟と、着用者が、（ａ）前屈する動き、（ｂ）しゃがむ動き、（ｃ）膝立ちで体をひねる動き、（ｄ）前方および上方に手を伸ばす動き、及び（ｅ）大きく踏み出す動き、のうちの１つ又は複数を実行するとき、向上された動きやすさを着用者に提供するために、１つ又は複数の小型部位に位置する、１つ又は複数の伸縮パネルとを備える。いくつかの実施形態では、シャツはまた、業務用洗濯に耐えるように構成される。いくつかの実施形態では、伸縮パネルが、最低でも１５％の伸縮性、代替的には最低でも２０％の伸縮性を有する。
【０００６】
前面パネル、背面パネル、第１の袖及び第２の袖、襟と、着用者が１つ又は複数の定義された動きを実行するとき、向上された動きやすさを着用者に提供するために、１つ又は複数の小型部位に位置する、１つ又は複数の伸縮パネルとを備えるシャツのいくつかの実施形態は、シャツの背面パネルに位置し、且つ、中心点から延在する複数の突出部を備える伸縮パネルを含む。例えば、伸縮パネルは、シャツの襟に向かって垂直に延びる第１の突出部と、背面パネルの第１の側に向かって斜め下に延びる第２の突出部と、背面パネルの第２の側に向かって斜め下に延びる第３の突出部とを備えてもよい。突出部のそれぞれの間の角度は、約９０度と約１５０度との間、例えば約１１０度と約１３０度との間であってよい。中心点が、背面パネルの第１の側と背面パネルの第２の側との間の実質的に中心に位置し、襟の約１０．１６ｃｍ（４インチ）と約６３．５ｃｍ（２５インチ）との間だけ下に位置してもよく、例えば襟の約１７．７８ｃｍ（７インチ）と約３８．１ｃｍ（１５インチ）との間だけ下に位置してもよい。いくつかの実施形態では、各突出部が、中心点とは反対の端部の先端に向かって収束してもよい。各突出部は、２５．４ｃｍ（１０インチ）未満、例えば１０．１６ｃｍ（４インチ）未満の最大幅を有してもよい。前面パネル、背面パネル、第１の袖及び第２の袖、襟と、着用者が１つ又は複数の定義された動きを実行するとき、向上された動きやすさを着用者に提供するために、１つ又は複数の小型部位に位置する、１つ又は複数の伸縮パネルとを備えるシャツのいくつかの実施形態は、少なくとも１対の伸縮パネルを含み、各伸縮パネルは、少なくとも、第１の袖及び第２の袖のうちの一方と背面パネルとの間の連結部にまたがる。各伸縮パネルはまた、袖の下に延び、且つ袖部分と前面パネルとの間に少なくとも部分的に上向きに延びてもよい。
【０００７】
前面パネル、背面パネル、第１の袖及び第２の袖、襟と、着用者が１つ又は複数の定義された動きを実行するとき、向上された動きやすさを着用者に提供するために、１つ又は複数の小型部位に位置する、１つ又は複数の伸縮パネルとを備えるシャツのいくつかの実施形態は、少なくとも１対の伸縮パネルを含み、各伸縮パネルが、第１の袖及び第２の袖のうちの一方と背面パネルとの間の連結部、及びシャツの袖と前面パネルとの間の連結部にまたがる。いくつかの実施形態では、伸縮パネルはまた、シャツの下縁又はその近傍からシャツの肩にかけて、背面パネルに接合して、例えば、「Ｓ字」状の形状を有するシームを提供してもよい。いくつかの実施形態では、伸縮パネルはまた、シャツの下縁又はその近傍からシャツの肩にかけて、前面パネルに接合して、例えば、「Ｓ字」状の形状を有するシームを提供してもよい。
【０００８】
他の実施形態では、シャツの様々な部分同士の連結の形式、具体的には、シャツの袖と背面パネルとの連結部が、向上された動きやすさを着用者に提供するように構成されてもよい。
【０００９】
例えば、シャツの実施形態は、前面パネル、背面パネル、第１の袖及び第２の袖、襟と、着用者が、（ａ）前屈する動き、（ｂ）しゃがむ動き、（ｃ）膝立ちで体をひねる動き、（ｄ）前方および上方に手を伸ばす動き、及び（ｅ）大きく踏み出す動き、のうちの１つ又は複数を実行するとき、向上された動きやすさを着用者に提供する、拡張背面パネル部分とを備える。シャツの他の実施形態は、前面パネル、背面パネル、第１の袖及び第２の袖、襟と、着用者が、（ａ）前屈する動き、（ｂ）しゃがむ動き、（ｃ）膝立ちで体をひねる動き、（ｄ）前方および上方に手を伸ばす動き、及び（ｅ）大きく踏み出す動き、のうちの１つ又は複数を実行するとき、向上された動きやすさを着用者に提供する、拡張袖部分とを備える。
【００１０】
１つ又は複数の実施形態の利点及び特徴の明確な概念が、図面に示す例示の、したがって非限定的な実施形態を参照することにより、より容易に明らかになるであろう。
【図面の簡単な説明】
【００１１】
【図１】図１Ａは、本明細書において説明するシャツの実施形態における小型部位を位置決めするために用いられる５つの動きのうちの１つである、前屈する動きを示す図である。図１Ｂは、本明細書において説明するシャツの実施形態における小型部位を位置決めするために用いられる５つの動きのうちの１つである、しゃがむ動きを示す図である。図１Ｃは、本明細書において説明するシャツの実施形態における小型部位を位置決めするために用いられる５つの動きのうちの１つである、膝立ちで体をひねる動きを示す図である。図１Ｄは、本明細書において説明するシャツの実施形態における小型部位を位置決めするために用いられる５つの動きのうちの１つである、前方および上方に手を伸ばす動きである。図１Ｅは、本明細書において説明するシャツの実施形態における小型部位を位置決めするために用いられる５つの動きのうちの１つである、大きく踏み出す動きを示す図である。
【図２】図２Ａは、向上された動きやすさを着用者に提供するように構成されたシャツの実施形態の前面図である。図２Ｂは、向上された動きやすさを着用者に提供するように構成されたシャツの実施形態の背面図である。
【図３】図３Ａは、前屈する動きの影響を受けたときの、向上された動きやすさを着用者に提供する、図２に示す実施形態を示す図である。図３Ｂは、しゃがむ動きの影響を受けたときの、向上された動きやすさを着用者に提供する、図２に示す実施形態を示す図である。図３Ｃは、膝立ちで体をひねる動きの影響を受けたときの、向上された動きやすさを着用者に提供する、図２に示す実施形態を示す図である。図３Ｄは、前方および上方に手を伸ばす動きの影響を受けたときの、向上された動きやすさを着用者に提供する、図２に示す実施形態を示す図である。
【図４】図４Ａは、向上された動きやすさを着用者に提供するように構成されたシャツの一実施形態の前面図である。図４Ｂは、向上された動きやすさを着用者に提供するように構成されたシャツの一実施形態の背面図である。
【図５】図５Ａは、向上された動きやすさを着用者に提供するように構成されたシャツの一実施形態の前面図である。図５Ｂは、向上された動きやすさを着用者に提供するように構成されたシャツの一実施形態の背面図である。
【図６】図６Ａは、前屈する動きの影響を受けたときの、向上された動きやすさを着用者に提供する、図５に示す実施形態を示す図である。図６Ｂは、しゃがむ動きの影響を受けたときの、向上された動きやすさを着用者に提供する、図５に示す実施形態を示す図である。図６Ｃは、膝立ちで体をひねる動きの影響を受けたときの、向上された動きやすさを着用者に提供する、図５に示す実施形態を示す図である。図６Ｄは、前方および上方に手を伸ばす動きの影響を受けたときの、向上された動きやすさを着用者に提供する、図５に示す実施形態を示す図である。
【図７】向上された動きやすさを着用者に提供するように構成されたつなぎのシャツ区分の一実施形態の背面図である。
【図８】図８Ａは、向上された動きやすさを着用者に提供するように構成されたシャツの一実施形態の前面図である。図８Ｂは、向上された動きやすさを着用者に提供するように構成されたシャツの一実施形態の背面図である。
【図９】図９Ａは、向上された動きやすさを着用者に提供するように構成されたシャツの一実施形態の前面図である。図９Ｂは、向上された動きやすさを着用者に提供するように構成されたシャツの一実施形態の背面図である。
【発明を実施するための形態】
【００１２】
向上された動きやすさを着用者に提供する作業ユニフォーム用にデザインされたシャツを提供するために、本発明の発明者は、複数の実施形態を開発した。いくつかの実施形態では、シャツが伸縮パネルを備える。他の実施形態では、向上された動きやすさをもたらすために、シャツの様々な要素の形状及び縫合が新たに構成された。
【００１３】
向上された動きやすさを提供するように、作業ユニフォーム用にデザインされたシャツをいかに構成するかを決定するために、本発明者らは、以下に完全に記述されているかのように、参照によりその全体が本明細書に援用される、米国特許出願第１４／０６６，５０１号において全体的に説明される、着用者の動きに応じて衣類をデザインするためのプロセスを用いた。簡潔には、このプロセスは、衣類の着用者による共通の使用パターン及び使用姿勢を特定すること、モーションキャプチャ撮影において用いられるマーカを被験者の素肌に取り付けること、被験者が共通の使用パターン及び使用姿勢を繰り返す一方で、コンピュータシステムによって被験者の姿勢及び動きのデータを記録すること、姿勢及び動きのデータを処理して、被験者の素肌の伸張領域及び圧縮領域を特定する機会マップを作成すること、被験者によって着用された標準的な作業衣類にマーカを取り付けること、被験者が共通の使用パターン及び使用姿勢を繰り返す一方で、被験者によって着用された衣類の衣類構築データを記録すること、衣類構築データを分析して、衣類の伸張領域及び圧縮領域を特定する問題マップを作成すること、機会マップ及び問題マップに基づいて、動きやすさマップを作成すること、並びに、動きやすさマップを用いて、緊張感及び拘束感を低減するシャツデザインを作成することを含む。
【００１４】
重要な体の動き及び姿勢は、対象とするシャツの着用者に基づいて異なり得るが（例えば大工は、１セットの関連する体の動きを有し、れんが職人は、異なる関連するセットを有し、引っ越し業者は異なる関連するセットを有し得る）、本発明の実施形態を準備するために、プロセスは、５つの特異的な動きのセットに対して採用された。図１Ａ〜図１Ｅに示すように、５つの動きは（Ａ）前屈する、（Ｂ）しゃがむ、（Ｃ）膝立ちで体をひねる、（Ｄ）前方および上方に手を伸ばす、及び（Ｅ）大きく踏み出す、である。これらの動きは、それぞれの作業場所における、多岐にわたる対象とする着用者に共通であると考えられるため、選択された。例えば、これらの動きはとりわけ、箱を持ち上げるとき、トラックに乗り込むとき、及び、品物を棚に載せるときの動きを再現する。
【００１５】
動きやすさマッピングプロセスを用いて、複数の小型部位が特定された。米国特許出願第１４／０６６，５０１号において定義されるように、「小型部位」とは概して、所定の範囲の動きにわたる向上された動きやすさのために、衣類上で特定された位置のことである。これらの小型部位を用いて、着用者の着心地、パフォーマンス、及び動きやすさにおける著しい改善を提供する複数の新しいシャツの実施形態が準備された。
【００１６】
作業シャツ１が、前面パネル２、背面パネル３、第１の袖及び第２の袖４、並びに襟５を備える。例えば或る種の運動着とは対照的に、作業シャツ１は概して、ぴったりフィットするものではなく、すなわち体に沿うことを意図されていない。本発明の実施形態は、作業シャツに加えて、ポロシャツ及びＴシャツ等の他の種類のシャツにも組み込まれ得る。
【００１７】
作業シャツ１の実施形態では、前面パネル２は、下縁６から（衣類の中心に配置された）襟５及び（襟の両側の）肩シーム７まで上方に延在する。いくつかの実施形態では、すなわち、シャツ１が、シャツに頭から被ることによって着用され得る場合、前面パネル２は、第１の側８と第２の側９との間に水平に延在する単一の部分を備えてよい。好適な実施形態では、そして、標準的な作業シャツにとってより一般的には、前面パネル２が、右部分及び左部分を備え、これらはボタン、スナップ、ジッパー等によって互いに着脱可能に閉じられる。本開示の目的のために、前面パネル２が、第１の側８及び第２の側９を有するものとして説明されるであろう。これは、上述のような単一の部分から成る前面パネル２への言及として理解されるべきではない。そうではなく、本明細書において説明する前面パネル２は、右部分及び左部分を備えてもよく、前面パネルの第１の側８は、右部分及び左部分のうちの一方に位置し、前面パネルの第２の側９は、右部分及び左部分のうちの他方に位置する。
【００１８】
標準的な作業シャツでは、背面パネル３が、一般にヨークとして知られる上側部分を備える。本明細書において説明するシャツ１の実施形態は、ヨークを備える背面パネル３を有してもよい。しかしながら、背面パネル３のヨーク部分は、いくつかの動きを制限してしまうことが分かった。このため、本明細書において説明するシャツ１の実施形態では、背面パネル３のヨーク部分をなくすことが望ましい。これらの実施形態では、背面パネル３は、下縁１０から（衣類の中央に位置する）襟５及び（襟の両側の）肩シーム７まで上方に延在する単一の部分から構成される。別段の指示がない限り、背面パネル３は、ヨークを含む実施形態と、ヨークのない実施形態との両方を含むものとして理解されるべきである。背面パネル３もまた、第１の側１１と第２の側１２との間に水平に延在する。
【００１９】
作業シャツ１の実施形態では、前面パネル２及び背面パネル３は典型的には、右肩及び左肩７のそれぞれにおいて、縫製等によって接合される。さらに、前面パネルの第１の側８は、縫製等によって、背面パネルの第１の側１１に接合され、前面パネルの第２の側９は、背面パネルの第２の側１２に接合される。これは例えば、標準的な作業シャツの前面パネルと背面パネルとが接合される方式である。本明細書において説明するシャツ１の他の実施形態では、前面パネルの第１の側８の少なくとも一部が、伸縮パネルを介して背面パネルの第１の側１１の一部に連結され、前面パネルの第２の側９の少なくとも一部が、伸縮パネルを介して背面パネルの第２の側１２の一部に連結される。
【００２０】
同様に、標準的な作業シャツでは、第１の袖部分及び第２の袖部分４のそれぞれが、縫製等によって、前面パネル２及び背面パネル３のそれぞれに接合される。本明細書において説明するシャツ１のいくつかの実施形態では、各袖４が、標準的な形式で前面パネル２及び背面パネル３に接合されてもよい。本明細書において説明するシャツ１の他の実施形態では、各袖４の少なくとも一部が、伸縮パネル３０、４０を介して背面パネル３の一部に連結され、及び／又は袖４の少なくとも一部が、伸縮パネル３０、４０を介して前面パネル２の一部に連結される。さらに他の実施形態では、袖４と背面パネル３との間のシーム６０の構成が、向上された動きやすさを提供するために再構成された。
【００２１】
シャツ１の実施形態は、家庭用洗濯プロセスにおいて用いられる条件よりも厳しい条件下での洗濯に耐えられるように構成されてもよい。例えば、いくつかの実施形態では、シャツ１を構成する布が、業務用洗濯に耐えられることが重要であり得る。様々な分野における多くの作業者は、ユニフォームレンタルプログラムを通して自身の作業着を得る。ユニフォームレンタルプログラムによって提供される衣類は、業務用洗濯として知られているプロセスによって洗浄される。業務用洗濯は、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ：国際標準化機構）基準によって規定された一連の基準、例えばＩＳＯ１５７９７及びＩＳＯ３００２３等を満たさなければならない。例えば、典型的には約４８．８９℃（１２０°Ｆ）で行われる家庭用洗濯プロセスとは対照的に、業務用洗濯は、最低でも６５．５６℃（１５０°Ｆ）〜７１．１１℃（１６０°Ｆ）の温度で行われる。業務用洗濯はまた、家庭用洗濯プロセスで用いられるものよりも強い化学物質の使用を必要とする。業務用洗濯で用いられる化学物質は、典型的には強アルカリ成分及び強い界面活性剤を含む。衣類のｐＨを、肌を刺激しないレベルにするために、酸が用いられることもある。多くの業務用洗濯プロセスはまた、漂白剤及び／又は脱塩素化合物等の薬剤による処置を含む付加的なステップを採用する。結果として、業務用洗濯の、より極端な条件に耐えられるように構成されていない布は、プロセスによって破壊されてしまうことが多い。シャツ１の実施形態は、ユニフォームレンタルプログラムを通して作業者に提供され得ることが意図される。したがって、シャツの実施形態は、業務用洗濯に耐えることができるように構成され得る。
【００２２】
本発明のシャツ１の実施形態は、小型部位において、着用者の着心地、パフォーマンス及び動きやすさにおける著しい改善を提供する役割を果たすように構成された１つ又は複数の伸縮パネル２０、３０、４０を備える。
【００２３】
本発明の実施形態の１つ又は複数の伸縮パネル２０、３０、４０は、シャツ１の残りの部分において用いられる素材よりも増加された度合いの伸縮能力を有する素材を備える。素材の伸縮能力は、ＡＳＴＭ  Ｄ２５９４として標準化された伸張回復方法を用いて計算される布伸縮率によって定義され得る。伸縮パネル２０は、少なくとも約２％、代替的には少なくとも約５％、代替的には少なくとも約１０％、代替的には少なくとも約１５％、及び代替的には少なくとも約２０％の布伸縮率を有することが好ましい。いくつかの実施形態では、例えば、伸縮パネルは約２０％と約３０％との間の布伸縮率を有してよい。伸縮能力はまた、伸縮力が加えられる方向によっても定義され得る。二方向伸縮布は、１つの方向（例えば、縦方向又は横方向のいずれか）に伸縮し、一方、四方向伸縮布は両方向（縦方向及び横方向）に伸縮する。本明細書において説明する伸縮パネル２０、３０、４０の実施形態は、二方向伸縮性、四方向伸縮性、及びそれらの組合せを備えてもよい。いくつかの実施形態では、伸縮パネル２０が、少なくとも約２％、代替的には少なくとも約５％、代替的には少なくとも約１０％、代替的には少なくとも約１５％、及び代替的には少なくとも約２０％の、両方向における布伸縮率を有する四方向伸縮性素材等の四方向伸縮性素材を備える。いくつかの実施形態では、例えば、伸縮パネルは、約２０％と約３０％との間の両方向における布伸縮率を有してよい。
【００２４】
例えば、いくつかの実施形態では、伸縮可能な布は、ポリエステル、綿、及びスパンデックスの混紡を含んでもよい。ポリエステル、綿、及びスパンデックスの混紡は例えば、業務用洗濯に耐えるように特別に構成されてもよい。上記の開示を鑑みて、当該技術分野における通常の知識を有する者は、本明細書において提示される実施形態の伸縮パネル２０、３０、４０において用いることができる様々な伸縮可能布を理解し、それらから選択することができると考えられる。
【００２５】
１つ又は複数の伸縮パネル２０、３０、４０は、当業者に理解される従来の方法により、シャツの基礎素材に接合することができる。例えば、伸縮パネル２０、３０、４０は、縫製によってシャツの基礎素材に接合することができる。オーバーステッチ、アンダーステッチ、チェーンステッチ、ロックステッチ、フラットステッチ等を含むがそれらに限定されない任意の従来の縫合方法を用いてもよい。
【００２６】
いくつかの実施形態では、１つ又は複数の伸縮パネル２０、３０、４０は、伸縮パネルを伸張させる動きの影響を受けないとき、実質的に隠されてもよい。例えば、シャツ１は、伸縮パネルを伸張させる動きの影響を受けないとき、伸縮パネルが実質的に隠されるように、伸縮パネル２０を覆う１つ又は複数のフラップを備えてもよい。フラップは、シャツ１の基礎素材で作製され、伸縮パネル２０の領域において、着用者に付加的な保護要素を提供し得ることが望ましい。
【００２７】
いくつかの実施形態では、１つ又は複数の伸縮パネル２０、３０、４０はまた、向上された熱管理特性をシャツに提供するように構成されてもよい。例えば、いくつかの実施形態では、１つ又は複数の伸縮パネル２０、３０、４０は、シャツの基礎素材よりも高い水分排出特性を有してもよい。そして、いくつかの実施形態では、１つ又は複数の伸縮パネル２０、３０、４０は、シャツの基礎素材よりも高い空気透過性を有してもよい。衣服に関連して用いられる場合、空気透過性は、「通気性」と表現されることが多い。布の空気透過性はまた、その乾燥時間と密接に関連する。したがって、１つ又は複数の伸縮パネル２０、３０、４０が、向上された水分排出特性及び向上された空気透過性を提供するように構成されるいくつかの実施形態では、１つ又は複数の伸縮パネルの向上された空気透過性が、布の外側面に排出された水分の乾燥を支援し、布の水分排出特性を向上させ得る。
【００２８】
さらに、本発明は、本明細書において、独立したシャツを対象とするものとして説明されたが、本明細書において説明するシャツは、つなぎ等の全身ユニフォームの一区分であってもよいことを理解されたい。つなぎの上半身区分の一般的な構成要素のうちのいくつかは、独立した作業シャツとはわずかに異なる形態をとるが、当該技術分野における通常の知識を有する者には理解されるように、本明細書において説明する独立したシャツのうちの、任意の動きやすさを向上させる特徴を、つなぎの上半身区分に等しく適用可能であり得る。したがって、本明細書において用いられるシャツという用語は、独立したシャツに限定されるのではなく、例えばつなぎのシャツ部分を含むように理解されるべきである。
【００２９】
本発明の実施形態を図２Ａ及び図２Ｂに示す。図２Ａ及び図２Ｂに示す実施形態は、シャツ１の背面パネル３に位置する伸縮パネル２０を備える。伸縮パネル２０は、中心点２２から延びる複数の突出部２１を備える。いくつかの実施形態では、複数の突出部２１のそれぞれの間の角度α（すなわち、中心点２２の周囲の２つの隣接する突出部によって形成される角度）は、約９０度と約１５０度との間であり、代替的には約９５度と約１４５度との間であり、代替的には約１００度と約１４０度との間であり、代替的には約１１０度と約１３０度との間であり、代替的には約１１５度と約１２６度との間であり、代替的には約１１８度と約１２３度との間である。
【００３０】
いくつかの実施形態では、伸縮パネル２０は、シャツの襟５に向かって垂直に延びる第１の突出部２３と、背面パネル３の第１の側１１に向かって斜め下に延びる第２の突出部２４と、背面パネルの第２の側１２に向かって斜め下に延びる第３の突出部２５とを備える。
【００３１】
第１の突出部２３と第２の突出部２４とによって形成される角度は、好ましくは約９０度と約１５０度との間であり、より好ましくは約９５度と約１４５度との間であり、より好ましくは約１００度と約１４０度との間であり、より好ましくは約１１０度と約１３０度との間であり、より好ましくは約１１５度と約１２６度との間である。いくつかの実施形態では、第１の突出部２３と第２の突出部２４とによって形成される角度は、約１１８度と約１２３度との間である。
【００３２】
第１の突出部２３と第３の突出部２５とによって形成される角度は、好ましくは約９０度と約１５０度との間であり、より好ましくは約９５度と約１４５度との間であり、より好ましくは約１００度と約１４０度との間であり、より好ましくは約１１０度と約１３０度との間であり、より好ましくは約１１５度と約１２６度との間である。いくつかの実施形態では、第１の突出部２３と第３の突出部２５とによって形成される角度は、約１１８度と約１２３度との間である。
【００３３】
第２の突出部２４と第３の突出部２５とによって形成される角度は、好ましくは約９０度と約１５０度との間であり、より好ましくは約９５度と約１４５度との間であり、より好ましくは約１００度と約１４０度との間であり、より好ましくは約１１０度と約１３０度との間であり、より好ましくは約１１５度と約１２６度との間である。いくつかの実施形態では、第２の突出部２４と第３の突出部２５とによって形成される角度は、約１１８度と約１２３度との間である。
【００３４】
いくつかの実施形態では、伸縮パネル２０の中心点２２は、シャツの背面パネル３の、第１の側１１と第２の側１２との間の実質的に中心に位置する。実質的に中心とは、背面パネル３の第１の側１１と第２の側１２との間の中心点から７．６２ｃｍ（３インチ）以内であることを意味する。好ましくは、伸縮パネル２０の中心点２２は、背面パネル３の第１の側１１と第２の側１２との間の中心点から５．０８ｃｍ（２インチ）以内に位置する。好ましくは、伸縮パネル２０の中心点２２は、背面パネル３の第１の側１１と第２の側１２との間の中心点から２．５４ｃｍ（１インチ）以内に位置する。
【００３５】
いくつかの実施形態では、伸縮パネル２０の中心点２２は、背面パネル３を襟５に接合するシームの約１０．１６ｃｍ（４インチ）と約６３．５ｃｍ（２５インチ）との間だけ下に位置し、より好ましくは、背面パネルを襟に接合するシームの約１２．７ｃｍ（５インチ）と約４５．７２ｃｍ（１８インチ）との間だけ下に位置し、より好ましくは、背面パネルを襟に接合するシームの約１５．２４ｃｍ（６インチ）と約３８．１ｃｍ（１５インチ）との間だけ下に位置し、より好ましくは、約１７．７８ｃｍ（７インチ）と約３５．５６ｃｍ（１４インチ）との間であり、代替的には、背面パネルを襟に接合するシームの約２０．３２ｃｍ（８インチ）と約３３．０２ｃｍ（１３インチ）との間だけ下に位置する。
【００３６】
いくつかの実施形態では、複数の突出部２１のそれぞれは、突出部の、中心点２２とは反対の端部において、先端２６を形成するように収束する、すなわち幅が狭くなる。各突出部２１の幅は、シャツ１のサイズ及び意図する用途に応じて、伸縮パネル２０の寸法（ひいては、衣類において用いられる伸縮素材の量）を最小限にすると同時に、所望の度合いの伸縮能力をシャツに提供するように選択されてよい。いくつかの実施形態では、各突出部２１は、２５．４ｃｍ（１０インチ）未満、代替的には１７．７８ｃｍ（７インチ）未満、代替的には１２．７ｃｍ（５インチ）未満、代替的には７．６２ｃｍ（３インチ）未満の最大幅、すなわち突出部の最も幅が広い部分における幅を有する。いくつかの実施形態では、各突出部は、約１．２７ｃｍ（０．５インチ）と約１２．７ｃｍ（５インチ）との間、代替的には約１．２７ｃｍ（０．５インチ）と約１０．１６ｃｍ（４インチ）との間、代替的には約１．２７ｃｍ（０．５インチ）と約７．６２ｃｍ（３インチ）との間の最大幅を有する。
【００３７】
各突出部２１の長さも、シャツ１のサイズ及び意図する用途に応じて、伸縮パネル２０の寸法（ひいては、衣類において用いられる伸縮素材の量）を最小限にすると同時に、所望の度合いの伸縮能力をシャツに提供するように選択されてよい。いくつかの実施形態では、各突出部２１が有する長さは、約１２．７ｃｍ（５インチ）と約６３．５ｃｍ（２５インチ）との間であり、代替的には約１５．２４ｃｍ（６インチ）と約５０．８ｃｍ（２０インチ）との間であり、代替的には約１７．７８ｃｍ（７インチ）と約４０．６４ｃｍ（１６インチ）との間であり、代替的には約２０．３２ｃｍ（８インチ）と約３８．１ｃｍ（１５インチ）との間である。
【００３８】
上述のような実施形態の、動きやすさマッピングプロセスに適用される共通の動きに応じた伸縮を、図３Ａ〜図３Ｄに示す。図に示す実施形態は、シャツの背面パネルに位置し、且つ、上述のような中心点から放射状に広がる第１の突出部、第２の突出部、及び第３の突出部を有する伸縮パネルを備える。着用者が上記範囲の動きを実行すると、着用者の着心地、パフォーマンス、及び動きやすさにおける著しい改善を提供するために、伸縮パネルが、特定された小型部位におけるシャツの背面パネルの伸縮を提供する。
【００３９】
本発明の別の実施形態を図４Ａ及び図４Ｂに示す。図４Ａ及び図４Ｂに示す実施形態は、第１の袖部分４と背面パネル３との間の連結部にまたがる第１の伸縮パネル３０、及び第２の袖部分と背面パネルとの間の連結部にまたがる第２の伸縮パネルを備える。したがって、各伸縮パネル３０は、第１の側３１において背面パネル３に、及び第２の（反対の）側３２において袖４に、縫製等によって接合される。したがって、袖４はシャツの背面パネル３に直接的には接合されない。そうではなく、袖４が伸縮パネル３０に連結され、伸縮パネル３０がシャツの背面パネル３に連結される。図４Ｂに示すようないくつかの実施形態では、伸縮パネル３０は袖４の周囲をカーブし、それにより凸状の第１の側３１及び凹状の第２の側３２を有する。
【００４０】
各伸縮パネル３０の第１の側３１と、各伸縮パネルの第２の側３２との間の最大幅は、シャツ１のサイズ及び意図する用途に応じて、伸縮パネル３０の寸法（ひいては、衣類において用いられる伸縮素材の量）を最小限にすると同時に、所望の度合いの伸縮能力をシャツに提供するように選択されてよい。いくつかの実施形態では、各伸縮パネル３０は、２０．３２ｃｍ（８インチ）未満、代替的には１７．７８ｃｍ（７インチ）未満、代替的には１５．２４ｃｍ（６インチ）未満、代替的には１２．７ｃｍ（５インチ）未満、代替的には１０．１６ｃｍ（４インチ）未満の最大幅、すなわち第１の側３１と第２の側３２との間の最も幅が広い部分における幅を有する。いくつかの実施形態では、各伸縮パネルは、約１．２７ｃｍ（０．５インチ）と約１２．７ｃｍ（５インチ）との間、代替的には約１．２７ｃｍ（０．５インチ）と約１０．１６ｃｍ（４インチ）との間、代替的には約２．５４ｃｍ（１インチ）と約１０．１６ｃｍ（４インチ）との間の最大幅を有する。
【００４１】
いくつかの実施形態では、伸縮パネル３０はまた、袖４の下に延び、且つ袖とシャツの前面パネル２との間に、少なくとも部分的に上向きに延びる。図４Ａに示す実施形態では、例えば、各伸縮パネル３０は、袖４と前面パネル２との間の連結部に部分的にまたがる。いくつかの実施形態では、伸縮パネル３０は、距離ｄにわたって、袖部分４と前面パネル２との間の連結部にまたがる。距離ｄは、約１．２７ｃｍ（０．５インチ）と約２５．４ｃｍ（１０インチ）との間であり、代替的には約２．５４ｃｍ（１インチ）と約２０．３２ｃｍ（８インチ）との間であり、代替的には約２．５４ｃｍ（１インチ）と約１５．２４ｃｍ（６インチ）との間である。距離ｄは、伸縮パネルの第２の側３２を袖４に接合するシームの長さを測定することにより決定される。シームの長さは、前面パネル２を背面パネル３に連結するシャツのサイドシームによって形成される線と縦方向に整列するシームの点から開始する。
【００４２】
上述のような実施形態の、動きやすさマッピングプロセスに適用される共通の動きに応じた伸縮は図示されない。しかしながら、着用者が上記範囲の動きを実行すると、着用者の着心地、パフォーマンス、及び動きやすさにおける著しい改善を提供するために、伸縮パネル３０が、特定された小型部位におけるシャツ１の伸縮を提供する。
【００４３】
本発明の別の実施形態を、図５Ａ及び図５Ｂに示す。図５Ａ及び図５Ｂに示す実施形態も、第１の袖部分４と背面パネル３との間の連結部にまたがる第１の伸縮パネル４０、及び第２の袖部分と背面パネルとの間の連結部にまたがる第２の伸縮パネルを備える。しかしながら、上述の実施形態とは対照的に、図５Ａ及び図５Ｂに示される実施形態の伸縮パネル４０のそれぞれは、袖４と前面パネル２との間の連結部にもまたがる。したがって、各伸縮パネル４０は、第１の側４１において前面パネルに、及び第２の（反対の）側４２において袖に、縫製等によって接合される。したがって、袖４は、シャツの前面パネル２に直接的には接合されない。そうではなく、袖４が伸縮パネル４０に連結され、伸縮パネル４０がシャツの前面パネル２に連結される。図５Ａに示すようないくつかの実施形態では、伸縮パネル４０は袖４の周囲をカーブして、凸状の第１の側４１及び凹状の第２の側４２を有する。
【００４４】
いくつかの実施形態では、伸縮パネル４０はまた、背面パネルの下縁１０又はその近傍から上方の肩７にかけて背面パネル３に接合する。伸縮パネル４０はまた、前面パネルの下縁６又はその近傍から肩７にかけて、前面パネル２に接合してもよい。したがって、いくつかの実施形態では、前面パネル２の第１の側８は、背面パネル３の第１の側１１と直接的には接合されず、前面パネルの第２の側９は、背面パネルの第２の側１２に直接的には接合されない。そうではなく、前面パネルの第１の側８が伸縮パネル４０に接合され、伸縮パネル４０が背面パネルの第１の側１１に接合され、前面パネルの第２の側９が伸縮パネル４０に接合され、伸縮パネル４０が背面パネルの第２の側１２に接合される。
【００４５】
図５Ｂに示す実施形態のようないくつかの実施形態では、伸縮パネル４０を、背面パネルの下縁１０又はその近傍から肩７にかけて背面パネル３に接合するシームは、「Ｓ字」状の形状を形成する。換言すれば、シームパネルは、背面パネル３の側部又はその近傍から、背面パネルの中心に向かって内向きにカーブし、その後、背面パネルの側部に向かって外向きに引き返し、最終的に背面パネルの中心に向かって内向きに引き返す。伸縮パネル４０の最も幅が広い部分は、参照番号４３及び４４によって特定される部分に位置することが好ましい。背面パネル３の高さに沿ったこれらのカーブの位置は、シャツ１のサイズ及びシャツの意図される用途に応じて変わり得る。カーブしたシームは、伸張されると真っ直ぐにしなることにより、着用者にさらなる動きやすさを提供する。
【００４６】
さらに、図５Ａに示す実施形態のようないくつかの実施形態では、伸縮パネル４０を、前面パネルの下縁６又はその近傍から肩７にかけて前面パネル２に接合するシームは、「Ｓ字」状の形状を形成する。換言すれば、シームは、前面パネル２の側部又はその近傍から、前面パネルの中心に向かって内向きにカーブし、その後、前面パネルの側部に向かって外向きに引き返し、最終的に前面パネルの中心に向かって内向きに引き返す。伸縮パネル４０の最も幅が広い部分は、参照番号４５及び４６によって特定される部分に位置することが好ましい。前面パネル２の高さに沿ったこれらのカーブの位置は、シャツ１のサイズ及びシャツの意図される用途に応じて変わり得る。カーブしたシームは、伸張されると真っ直ぐにしなることにより、着用者にさらなる動きやすさを提供する。
【００４７】
上述のような実施形態の、動きやすさマッピングプロセスに適用される共通の動きに応じた伸縮を、図６Ａ〜図６Ｄに示す。図に示す実施形態は、袖部分４と背面パネル３との間の連結部に、且つ袖部と前面パネル２との間の連結部にまたがる伸縮パネル４０を備える。伸縮パネル４０はまた、シャツの下縁６、１０から肩７にかけて、背面パネル３及び前面パネル２の両方に接合する。伸縮パネル４０を背面パネル３に接合するシーム、及び伸縮パネル４０を前面パネル２に接合するシームは、どちらも「Ｓ字」状の形状を形成する。着用者が上記範囲の動きを実行すると、着用者の着心地、パフォーマンス、及び動きやすさにおける著しい改善を提供するために、伸縮パネル４０が、特定された小型部位におけるシャツの伸縮を提供する。
【００４８】
いくつかの代替的な実施形態では、図５及び図６に示す伸縮パネル４０が、従来の布に置き換えられてもよい。これらの実施形態では、シャツ１の残りの部分において用いられる素材よりも増加された度合いの伸縮能力を有する素材を用いなくても、袖の周囲及びシャツの側部に沿ったパネルが、向上された動きやすさを着用者に提供する。
【００４９】
本発明の別の実施形態が図７に示される。図７の実施形態は、つなぎ衣類のシャツ構成要素として示されている。そのように限定はされないが、この実施形態は、つなぎの構成要素であるシャツ１における使用のために特に望ましい。例えば、説明した動きの範囲にわたる増加した動きやすさに加えて、この実施形態により、着用者がつなぎ衣類を着る及び／又は脱ぐときに、自身の肩を通す／抜くことが容易になる。図７に示す実施形態は、つなぎのシャツ区分１の背面パネル３に位置し、且つ、ウエストと襟５との間に、背部分の高さにわたってまたがる伸縮パネル５０を備える。伸縮パネル５０は、つなぎのシャツ区分１の背面パネル３に沿って、実質的に中央に位置する。いくつかの実施形態では、伸縮パネル５０はまた、つなぎの襟部分５内へ延びてもよい。襟５はまた、つなぎ衣類を着る及び／又は脱ぐためのさらなるゆとりを作るＶ字形状の切り込み５１を備えてもよい。
【００５０】
伸縮パネル５０の幅は、つなぎのサイズ及び意図する用途に応じて、伸縮パネルの寸法（ひいては、衣類において用いられる伸縮素材の量）を最小限にすると同時に、所望の度合いの伸縮能力をシャツ区分１に提供するように選択されてよい。いくつかの実施形態では、伸縮パネル５０が有する幅は約２．５４ｃｍ（１インチ）と約５０．８ｃｍ（２０インチ）との間であり、代替的には約１２．７ｃｍ（５インチ）と約３８．１ｃｍ（１５インチ）との間である。
【００５１】
本発明の他の実施形態では、シャツ１の様々な部分の形状、及びシャツのそれらの部分同士の連結形式、具体的には、シャツの袖４のそれぞれと背面パネル３との連結が、向上された動きやすさを提供するように、特別に構成されてもよい。
【００５２】
例えば、本発明の別の実施形態を図８Ａ及び図８Ｂに示す。図８Ａ及び図８Ｂに示す実施形態は、参照番号６１によって特定される「拡張背面パネル部分」を備える。標準的なシャツ１では、袖を背面パネルに接合するシームは、背面パネルから離れて袖の方向に向かう曲率半径を有する。換言すれば、シームは、背面パネルの中心に向かう凸側を有する。例えば、図８Ｂにおいて、この標準的なシームが、参照番号７０によって特定される破線によって示される。対照的に、この実施形態のシーム６０は、背面パネル３の方向に向かって袖４から離れる曲率半径を有し、これによりシームは背面パネルの中心から離れて延在する凸側を有する。
【００５３】
このように、背面パネル３は、その第１の側１１と、その第２の側１２との間で、袖４の周辺の領域において、より広い幅を有し、これは拡張背面パネル部分６１と呼ばれ得る。着用者が上記範囲の動きを実行すると、着用者の着心地、パフォーマンス、及び動きやすさにおける著しい改善を提供するために、拡張背面パネル部分６１は、特定された小型部位において付加的な布を提供する。しかしながら、前から見たとき、シャツ１は標準的な作業シャツの外観を有し得る。
【００５４】
代替的に、図９Ａ及び図９Ｂに示す実施形態は、参照番号６２によって示す「拡張袖部分」を備える。標準的なシャツとは対照的に、図９Ａ及び図９Ｂに示す実施形態の拡張袖部分は、袖４を背面パネル３に接合するシーム６０を有する。シーム６０は、背面パネルの第１の側１１における点６３から、襟５の点６４へと上向きに、シャツの背面パネルを横切る。背面パネルの第１の側１２の点６３は、袖４がシャツの前面パネル２と接合する最下点から距離ｄ’だけ下方にあってよい。距離ｄ’は例えば、約５．０８ｃｍ（２インチ）と約３８．１ｃｍ（１５インチ）との間であってよく、代替的には約７．６２ｃｍ（３インチ）と約３０．４８ｃｍ（１２インチ）との間であってよく、代替的には約１０．１６ｃｍ（４インチ）と約２５．４ｃｍ（１０インチ）との間であってよく、代替的には約１５．２４ｃｍ（６インチ）と約２０．３２ｃｍ（８インチ）との間であってよい。
【００５５】
いくつかの実施形態では、袖４を背面パネル３の第１の側１１に連結するシーム６０は、上述の背面パネルの第１の側の点６３から、背面パネルの第１の側１１と背面パネルの第２の側１２との実質的に中心にある点６５に向かって上向きにカーブする。この点６５において、シーム６０は、襟５における点６４へと垂直に延びる。したがって、いくつかの実施形態では、袖４を背面パネルの第１の側１１に連結するシーム６０と、袖を背面パネルの第２の側１２に連結するシーム６０とが、背面パネルの第１の側１１と背面パネルの第２の側１２との実質的に中心にある位置６５において重なる。
【００５６】
このように、各袖４は、通常は背面パネル３であると考えられるシャツ１の領域に広く拡張して、拡張袖部分６２を提供する。着用者が上記範囲の動きを実行すると、着用者の着心地、パフォーマンス、及び動きやすさにおける著しい改善を提供するために、拡張袖部分６２は、特定された小型部位において付加的な布を提供する。しかしながら、前から見たとき、シャツ１は標準的な作業シャツの外観を有し得る。
【００５７】
本明細書において説明され、及び／又は特許請求されたシャツ１のいずれも、それらがデザイン又は生産されたプロセスによっては決して限定されないことを理解されたい。換言すれば、本明細書において説明され、及び／又は特許請求されたシャツ１は上述した動きやすさマッピングプロセスによってデザインされたが、このプロセスは決してシャツ自体の必須の構成要素又は要素と考えられるべきではない。
【００５８】
説明された実施形態は、当該技術分野におけるシャツに勝る複数の利点を有する固有且つ新規のシャツを提供することが自明であり得る。本明細書において、本発明を具現するいくつかの具体的な構造を図示及び説明してきたが、根本的な本発明の概念の精神及び範囲を逸脱することなく、様々な部品の変形及び再構成を行ってもよいこと、並びに、本発明は、添付の特許請求の範囲によって指示しない限り、本明細書において図示及び説明した特定の形態に限定されないことが、当業者にとって明らかであろう。
（項目１）
動きやすさを向上させるように構成されたシャツにおいて、
ａ．前面パネル、背面パネル、第１の袖及び第２の袖、及び襟と、
ｂ．着用者が、（ａ）前屈する動き、（ｂ）しゃがむ動き、（ｃ）膝立ちで体をひねる動き、（ｄ）前方および上方に手を伸ばす動き、及び（ｅ）大きく踏み出す動き、のうちの１つ又は複数を実行するとき、向上された動きやすさを着用者に提供するために、１つ又は複数の小型部位に位置する、１つ又は複数の伸縮パネルと、
を備える、シャツ。
（項目２）
業務用洗濯に耐えるように構成される、項目１に記載のシャツ。
（項目３）
前記１つ又は複数の伸縮パネルが、少なくとも約１５％の四方向伸縮性を有する、項目１に記載のシャツ。
（項目４）
前記１つ又は複数の伸縮パネルが、少なくとも約２０％の四方向伸縮性を有する、項目１に記載のシャツ。
（項目５）
伸縮パネルが、前記シャツの前記背面パネルに位置し、且つ、中心点から延在する複数の突出部を備える、項目１に記載のシャツ。
（項目６）
前記伸縮パネルが、
前記シャツの前記襟に向かって垂直に延びる第１の突出部と、
前記背面パネルの第１の側に向かって斜め下に延びる第２の突出部と、
前記背面パネルの第２の側に向かって斜め下に延びる第３の突出部と、
を備える、項目５に記載のシャツ。
（項目７）
前記突出部のそれぞれの間の角度が、約１１０度と約１３０度との間である、項目６に記載のシャツ。
（項目８）
前記中心点が、前記背面パネルの前記第１の側と前記背面パネルの前記第２の側との間の実質的に中心に位置し、前記襟の約２０．３２ｃｍ（８インチ）と約３３．０２ｃｍ（１３インチ）との間だけ下に位置する、項目６に記載のシャツ。
（項目９）
各突出部が、前記中心点とは反対の端部の先端に向かって収束する、項目６に記載のシャツ。
（項目１０）
各突出部が、７．６２ｃｍ（３インチ）未満の最大幅を有する、項目６に記載のシャツ。
（項目１１）
伸縮パネルが、少なくとも、前記袖と前記背面パネルとの間の連結部にまたがる、項目１に記載のシャツ。
（項目１２）
前記伸縮パネルが、前記袖の下に延び、且つ前記袖部分と前記前面パネルとの間に少なくとも部分的に上向きに延びる、項目１１に記載のシャツ。
（項目１３）
前記伸縮パネルが、前記袖と前記前面パネルとの間の連結部にもまたがる、項目１２に記載のシャツ。
（項目１４）
前記伸縮パネルが、下縁又はその近傍から肩にかけて、前記背面パネルに接合する、項目１１に記載のシャツ。
（項目１５）
前記伸縮パネルが前記背面パネルと接合することで、「Ｓ字」状の形状を有するシームを提供する、項目１４に記載のシャツ。
（項目１６）
前記伸縮パネルが、下辺又はその近傍から肩にかけて、前記前面パネルに接合する、項目１３に記載のシャツ。
（項目１７）
前記伸縮パネルが前記前面パネルと接合することで、「Ｓ字」状の形状を有するシームを提供する、項目１６に記載のシャツ。
（項目１８）
前記シャツが、つなぎの一区分である、項目１に記載のシャツ。
（項目１９）
動きやすさを向上させるように構成されたシャツにおいて、
ａ．前面パネル、背面パネル、第１の袖及び第２の袖、及び襟と、
ｂ．着用者が、（ａ）前屈する動き、（ｂ）しゃがむ、動き（ｃ）膝立ちで体をひねる動き、（ｄ）前方および上方に手を伸ばす動き、及び（ｅ）大きく踏み出す動き、のうちの１つ又は複数を実行するとき、向上された動きやすさを着用者に提供する、拡張背面パネル部分と、
を備える、シャツ。
（項目２０）
動きやすさを向上させるように構成されたシャツであって、
ａ．前面パネル、背面パネル、第１の袖及び第２の袖、及び襟と、
ｂ．着用者が、（ａ）前屈する動き、（ｂ）しゃがむ動き、（ｃ）膝立ちで体をひねる動き、（ｄ）前方および上方に手を伸ばす動き、及び（ｅ）大きく踏み出す動き、のうちの１つ又は複数を実行するとき、向上された動きやすさを着用者に提供する、拡張袖部分と、
を備える、シャツ。
【図１Ａ】
0006727188.tif 000002
【図１Ｂ】
0006727188.tif 000003
【図１Ｃ】
0006727188.tif 000004
【図１Ｄ】
0006727188.tif 000005
【図１Ｅ】
0006727188.tif 000006
【図２Ａ】
0006727188.tif 000007
【図２Ｂ】
0006727188.tif 000008
【図３Ａ】
0006727188.tif 000009
【図３Ｂ】
0006727188.tif 000010
【図３Ｃ】
0006727188.tif 000011
【図３Ｄ】
0006727188.tif 000012
【図４Ａ】
0006727188.tif 000013
【図４Ｂ】
0006727188.tif 000014
【図５Ａ】
0006727188.tif 000015
【図５Ｂ】
0006727188.tif 000016
【図６Ａ】
0006727188.tif 000017
【図６Ｂ】
0006727188.tif 000018
【図６Ｃ】
0006727188.tif 000019
【図６Ｄ】
0006727188.tif 000020
【図７】
0006727188.tif 000021
【図８Ａ】
0006727188.tif 000022
【図８Ｂ】
0006727188.tif 000023
【図９Ａ】
0006727188.tif 000024
【図９Ｂ】
0006727188.tif 000025